(57)【特許請求の範囲】
【請求項１】
枚葉紙を加工する機械のための多重枚葉紙コントロール装置であって、１つの枚葉紙または枚葉紙流の上方に、所定の間隔を置いて旋回可能に配置された検出エレメントと、定置に配置された切換エレメントとが設けられており、該切換エレメントが、検出エレメントの旋回位置に応じて負荷されるようになっており、供給しようとする枚葉紙（７）もしくは供給しようとする枚葉紙流の紙判全幅にわたって少なくとも２つの、複数の検出エレメント（２４）が配置されている形式のものにおいて、
すべての検出エレメント（２４）が、１つのトラバース（２８）に配置されていて、共通の１つの調整手段（４６）によって、加工しようとする枚葉紙厚に合わせて調節可能であり、すべての検出エレメント（２４）が、唯１つのスイッチ（４１）と協働するようになっていることを特徴とする、多重枚葉紙コントロール装置。
【請求項２】
切換エレメント（４１）のための操作エレメント（３７）が、旋回可能なトラバース（２８）に対して回動不能に支承されている、請求項１記載の多重枚葉紙コントロール装置。
【請求項３】
多重枚葉紙コントロール装置（２１）が供給テーブル（９）の始端部領域に配置されている、請求項１または２記載の多重枚葉紙コントロール装置。
【請求項４】
検出エレメント（２４）がローラである、請求項１記載の多重枚葉紙コントロール装置。
【請求項５】
検出ローラ（２４）と対向ローラ（２２）との間の間隔が調整ねじ（４６）によって、旋回可能なホルダ（３９）を介して間接的に調節可能である、請求項１記載の多重枚葉紙コントロール装置。
【請求項６】
切換エレメント（４１）がホルダ（３９）と一緒に調整ねじ（４６）によって調節可能に支承されている、請求項５記載の多重枚葉紙コントロール装置。
【請求項７】
検出ローラ（２４）と対向ローラ（２２）との間の間隔が、コントロールしようとする枚葉紙（７）もしくはずれ重ねられた枚葉紙流よりもすこしだけ大きい、請求項５記載の多重枚葉紙コントロール装置。
【請求項８】
供給しようとする枚葉紙（７）または枚葉紙流の下方に、回転可能に支承されたローラ（２２）が配置されている、請求項１から７までのいずれか１項記載の多重枚葉紙コントロール装置。
【請求項９】
ローラ（２２）が、検出エレメント（２４）に対向して配置されている、請求項８記載の多重枚葉紙コントロール装置。
【発明の詳細な説明】
【０００１】
【発明の属する技術分野】
本発明は、枚葉紙を加工する機械のための多重枚葉紙コントロール装置であって、一つの枚葉紙または枚葉紙流の上方に、所定の間隔を置いて旋回可能に配置された検出エレメントと、定置に配置された切換エレメントとが設けられており、該切換エレメントが、検出エレメントの旋回位置に応じて負荷されるようになっており、供給しようとする枚葉紙もしくは供給しようとする枚葉紙流の紙判全幅にわたって少なくとも２つの、複数の検出エレメントが配置されている形式のものに関する。
【０００２】
さらに本発明は、枚葉紙を加工する機械のための多重枚葉紙コントロール装置であって、供給しようとする枚葉紙の下方に回転可能に配置されたローラと、該ローラの上方に所定の間隔を置いて旋回可能に配置された検出エレメントと、定置に配置された切換エレメントとが設けられており、該切換エレメントが、検出エレメントの旋回位置に応じて負荷されるようになっている形式のものに関する。
【０００３】
【従来の技術】
このような多重枚葉紙コントロール装置はドイツ連邦共和国特許第３８２３２０１号明細書に基づき公知である。
【０００４】
スイッチを作動し、検出エレメントを保持するためのレバーはドイツ連邦共和国特許第３８２３２０２号明細書の場合、タイミング制御式の軸に配置されている。レバーが常に往復運動することにより、装置全体が振動し、ひいては測定結果が不正確になってしまう。
【０００５】
【発明が解決しようとする課題】
したがって本発明の課題は、より高い精密度で作業する多重枚葉紙コントロール装置を提供することである。
【０００６】
【課題を解決するための手段】
この課題を解決するために本発明の構成では、すべての検出エレメントが、共通の１つの調整手段によって、加工しようとする枚葉紙厚に合わせて調節可能であるようにした。
【０００７】
さらに上記課題を解決するために本発明の構成では、切換エレメントのための操作エレメントが、旋回可能なトラバースに対して回動不能に支承されているようにした。
【０００８】
【発明の効果】
本発明の主な利点は、少なくとも２つの複数の検出エレメントが相並んでトラバースに配置されていることである。このような手段により、枚葉紙もしくは枚葉紙流を、複数の個所で同時にコントロールつまりチェックすることができる。特に枚葉紙または枚葉紙流の縁部領域において、屈曲したコーナ部を信頼性良好に検出することができる。
【０００９】
本発明の別の利点は、設けられた切換エレメントのための操作エレメントが、検出エレメントの旋回可能なトラバースに回動不能に配置されていることである。
【００１０】
従って、各検出エレメントが旋回可能なトラバースに回動不能に配置されているので、唯１つのスイッチを設ければよく、１つの検出エレメントのそれぞれの変位によりスイッチが作動する。
【００１１】
供給テーブルの始端部に多重枚葉紙コントロール装置が使用されると有利である。このような手段により、枚葉紙を処理する機械、特に印刷機を高い処理速度においても停めるための大きな時間窓(Zeitfenster)が生ぜしめられる。
【００１２】
本発明の有利な構成では、切換エレメントがホルダと一緒に調整ねじによって調節可能に支承されている。
【００１３】
本発明の別の有利な構成では、検出ローラと対向ローラとの間の間隔が、コントロールしようとする枚葉紙もしくはずれ重ねられた枚葉紙流よりもすこしだけ大きい。
【００１４】
枚葉紙もしくはずれ重なった枚葉紙流が検出ローラに対して無接触にコントロールされると有利である。それというのは、多重枚葉紙または欠陥のある枚葉紙の場合にのみ、検出ローラがそれに接触し、枚葉紙供給の停止をもたらす旋回運動が引き起こされるからである。
【００１５】
【発明の実施の形態】
以下に本発明の実施の形態を図面につき詳しく説明する。
【００１６】
輪転印刷機、例えば枚葉紙７を処理する印刷機１は給紙装置２と、少なくとも１つの印刷装置３；４と、排紙装置６とを有している。枚葉紙７は、枚葉紙パイル８から取り出され、個別化されるかまたはずれ重なり状に供給テーブル９を介して印刷装置３，４に供給される。これらの印刷装置は、公知の形式でそれぞれ１つの版胴１１；１２を有している。これらの版胴１１，１２はそれぞれ１つのフレキシブルな版板１６を固定するための装置１３，１４を有している。さらに各版胴１１：１２には、半自動式または全自動式の版板交換のための装置１５；１７が対応配置されている。
【００１７】
給紙装置２と供給テーブル９との間には、先ず枚葉紙搬送方向で見てタイミングローラ対（１８，１９）が配置されている。タイミングローラ１８は自由に回転可能に支承されており、上下運動させられる。これにより、タイミングローラ１８と、駆動された対向ローラ１９との間隔が、枚葉紙を加工する機械の所定のタイミングで増減させられる。タイミングローラ対（１８，１９）には、枚葉紙搬送方向において、本発明による多重枚葉紙コントロール装置２１が後置されている。この多重枚葉紙コントロール装置２１は供給テーブル９の始端部に位置している。多重枚葉紙コントロール装置２１は主として、供給テーブル９の切欠き２３に配置されて自由に回転可能に支承された対向ローラ２２と、回転可能に支承された対向ローラ２２と、この対向ローラ２２に、供給ローラ２１の上方で対向して配置された検出エレメント２４とから成っている。
【００１８】
この検出エレメント２４は回転可能に支承されたローラとして形成されていると有利である。滑りシュー、湾曲部材、検出ピンなどの他の形態が考えられる。
【００１９】
回転可能に支承されたローラ２４は、保持装置２６に旋回可能に支承されたレバー２７に座着している。保持装置２６はトラバース２８に軸方向に移動可能に配置されている。保持装置２６を所望のポジションに固定するために、係止ねじ２９が役立つ。保持装置２６には圧縮ばね３１が支持されている。この圧縮ばね３１はその一方の端部で、レバー２７のアーム３２に作用するので、このレバー２７は調節可能なストッパ３３に押し付けられる。
【００２０】
トラバース２８はサイドフレーム３４，３６に旋回可能に支承されている。サイドフレーム３４の近くでトラバース２８はレバー３７を有している。
【００２１】
トラバース２８の軸受けジャーナル３８には、旋回可能に、枚葉紙供給の停止のためのスイッチ４１に用いられるホルダ３９が装着されている。
【００２２】
さらに、ホルダ３９はストッパ４２を支持している。このストッパはレバー３７に当て付けられている。サイドフレーム３４に支持された圧縮ばね４４はレバー３７をストッパ４２に押し付ける。調整ねじ４６がホルダ３９と協働し、このホルダを、軸受けジャーナル３８を中心にして圧縮ばね４４のばね力に抗して旋回させる。このような手段によって、被印刷材料厚が変化した場合に、検出ローラ２４と対向ローラ２２との間の間隔が調節される。
【００２３】
トラバース２８には、小さな枚葉紙片または枚葉紙断裁片を認識するために、それぞれ１つの検出ローラ２４が対応配置された、比較的多数の保持装置２６が配置されている。加工しようとする枚葉紙厚、例えば印刷機における被印刷材料厚に合わせて、トラバース２８に配置されたすべての検出ローラ２４を一緒に調節するために、共通の調整ねじ４６が使用される。
【００２４】
これらの検出ローラ２４を互いに高さ整合するために、移動調節可能なストッパ３３が例えば組み付け時に基本調節された状態で設けられている。
【００２５】
唯１つの検出ローラ２４が変位することにより、その結果トラバース２８が、レバー３７に当て付けられた圧縮ばね４４の力に抗して旋回させられる。旋回運動時に、レバー３７はスイッチ４１に接触接続させられ、このスイッチはさらに枚葉紙供給をストップする。
【図面の簡単な説明】
【図１】枚葉紙輪転印刷機を断面して示す概略図である。
【図２】多重枚葉紙コントロール装置を断面して示す概略図である。
【図３】多重枚葉紙コントロール装置に向かって見た概略的な平面図である。
【符号の説明】
１  印刷機、  ２  給紙装置、  ３，４  印刷装置、  ６  排紙装置、  ７  枚葉紙、  ８  枚葉紙パイル、  ９  供給テーブル、  １１，１２  版胴、  １３，１４  版板を固定するための装置、  １５，１７  版板交換のための装置、１８  タイミングローラ、  １９  対向ローラ、  ２１  多重枚葉紙コントロール装置、  ２２  対向ローラ、  ２３  切欠き、  ２４  検出エレメント（検出ローラ）、  ２６  保持装置、  ２７  レバー、  ２８  トラバース、  ２９ロックねじ、  ３１  圧縮ばね、  ３２  アーム、  ３３  ストッパ、  ３４，３６  サイドフレーム、  ３７  レバー、  ３８  軸受けジャーナル、  ３９ホルダ、  ４１  スイッチ、  ４２  ストッパ、  ４４  圧縮ばね、  ４６  調整ねじ
【図１】
0004664467.tif 000002
【図２】
0004664467.tif 000003
【図３】
0004664467.tif 000004